【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
コンピュータ可読媒体に記憶されたマルチスクリーン電子メールクライアントを実行するように構成された携帯用電子機器であって、前記マルチスクリーン電子メールクライアントは、前記携帯用電子機器のプロセッサにより実行され、少なくとも第１ディスプレイ部分および第２ディスプレイ部分を有する、前記携帯用電子機器において、
前記マルチスクリーン電子メールクライアントは、
前記第１ディスプレイ部分で表示可能な第１ユーザインターフェース画面部分と、
前記第２ディスプレイ部分に表示可能な第２ユーザインターフェース画面部分であって、前記第１ユーザインターフェース画面部分の子画面である前記第２ユーザインターフェース画面部分とを備え、
前記第１ユーザインターフェース画面部分および前記第２ユーザインターフェース画面部分はその間の従属関係によって関係付けられ、前記マルチスクリーン電子メールクライアントに関係付けられる機能性を提供するように動作可能であり、
前記第１ディスプレイ部分には第１画像インジケータが提供され、
前記第１画像インジケータは、前記従属関係を有する子画面がどこに表示されるかの方向インジケータを提供する、携帯用電子機器。
【請求項２】
前記第１ディスプレイ部分および前記第２ディスプレイ部分は、前記携帯用電子機器の別々のディスプレイ機器であるか、または前記第１および第２ユーザインターフェース画面部分の一方は、前記第１および第２ユーザインターフェース画面部分の他方の実行を少なくとも部分的に制御するように動作可能であり、
前記第１および第２ユーザインターフェース画面部分の一方は、前記第１および第２ユーザインターフェース画面部分の他方の制御のために、ユーザからの入力を受け取るように動作可能である入力画面を含み、
前記入力画面はキーボード画面であるか、または前記第１および第２ユーザインターフェース画面部分は、フォルダ管理画面、メッセージ一覧表示画面、メッセージ詳細画面および添付画面のうちのそれぞれ別の画面を含み、前記フォルダ管理画面、前記メッセージ一覧表示画面、前記メッセージ詳細画面、または前記添付画面は階層的アプリケーションシーケンスを定義し、前記階層的アプリケーションシーケンスは、ユーザ入力に応答して、前記階層的アプリケーションシーケンスの前記画面のうちの少なくとも１つの異なる画面を表示するために、ユーザによって遷移可能であり、
前記第１ユーザインターフェース画面部分は、前記第２ユーザインターフェース画面部分が対応する前記第１ユーザインターフェース画面部分の一部に関するインジケータを含む、請求項１に記載の携帯用電子機器。
【請求項３】
前記第１および第２ユーザインターフェース画面部分のうちの少なくとも１つは、メッセージ一覧表示画面であり、
前記メッセージ一覧表示画面に現れる複数のメッセージは、送信者、題名または受信日時のうちの少なくとも１つによって並べ替え可能である、請求項１に記載の携帯用電子機器。
【請求項４】
前記第１および第２ユーザインターフェース画面部分は、メッセージ一覧表示画面であり、選択した前記メッセージに対するアクションを集合的に行うために、前記メッセージ一覧表示画面に現れる複数のメッセージが選択可能である、請求項１に記載の携帯用電子機器。
【請求項５】
前記第１および第２ユーザインターフェース画面部分は、メッセージ詳細画面であり、
前記メッセージ詳細画面のエレメントは、前記エレメントに関するアクションを開始するためにユーザ入力に応答し、
前記アクションは、前記メッセージ詳細画面の前記エレメントの外観の変化によって示され、
前記エレメントは、添付バーであり、
前記アクションは、前記添付バーに対応する添付ファイルのダウンロードを含み、
前記添付バーの前記外観は、前記添付ファイルの前記ダウンロードのステータスに対応する、請求項１に記載の携帯用電子機器。
【請求項６】
前記第１および第２ユーザインターフェース画面部分のうちの少なくとも１つは、メッセージ詳細画面であり、
前記メッセージ詳細画面は、前記メッセージ詳細画面に表示されるメッセージのテキストと背景の色を反転させるように選択的に修正可能である、請求項１に記載の携帯用電子機器。
【請求項７】
前記第１および第２ユーザインターフェース画面部分のうちの少なくとも１つは、メッセージ詳細画面であり、
前記メッセージ詳細画面は、全画面モードで選択的に見られるので、前記全画面モードで表示したときに前記メッセージ詳細画面の少なくとも１つのエレメントが除去される、請求項１に記載の携帯用電子機器。
【請求項８】
電子メールアカウントが関連付けられている電子メールサーバとの接続性の損失時に、ユーザに標示を提示可能である、請求項１に記載の携帯用電子機器。
【請求項９】
マルチスクリーン電子メールクライアントの動作方法であって、
少なくとも第１ディスプレイ部分および第２ディスプレイ部分を有する携帯用電子機器でマルチスクリーン電子メールクライアントを実行すること、
前記第１ディスプレイ部分に第１ユーザインターフェース画面部分を表示すること、
前記第２ディスプレイ部分に第２ユーザインターフェース画面部分を表示することであって、前記第１ユーザインターフェース画面部分および前記第２ユーザインターフェース画面部分はその間の従属関係によって関係付けられ、前記第２ユーザインターフェース画面部分は、前記第１ユーザインターフェース画面部分の子画面であり、前記第１ユーザインターフェース画面部分は、前記第２ユーザインターフェース画面部分の親画面である、前記第２ユーザインターフェース画面部分を表示すること、
前記第２ディスプレイ部分に第２画像インジケータを表示することであって、前記第２画像インジケータは、前記従属関係を有する親画面がどこに表示されるかの方向インジケータを提供する、前記第２画像インジケータを表示すること、
前記第１ディスプレイ部分で前記第１ユーザインターフェース画面部分に関するユーザからの入力を受け取り、前記第２ディスプレイ部分で前記第２ユーザインターフェース画面部分に関するユーザからの入力を受け取ること、
前記受け取ることに応答して、前記マルチスクリーン電子メールクライアントの前記実行を制御することを備える、方法。
【請求項１０】
前記第１ディスプレイ部分および前記第２ディスプレイ部分は、前記携帯用電子機器の別々のディスプレイ機器であり、前記第１および第２ユーザインターフェース画面部分の一方に関するユーザからの入力に応答して、前記第１および第２ユーザインターフェース画面部分の他方の実行に影響することをさらに備え、
前記第１および第２ユーザインターフェース画面部分の一方は、前記第１および第２ユーザインターフェース画面部分の他方の少なくとも一部に影響するために、ユーザからの入力を受け取るように動作可能な入力画面を含み、
前記入力画面は、キーボード画面であり、
前記第１および第２ユーザインターフェース画面部分は、フォルダ管理画面、メッセージ一覧表示画面、メッセージ詳細画面、または添付画面のうちのそれぞれ異なる画面であり、
前記フォルダ管理画面、前記メッセージ一覧表示画面、前記メッセージ詳細画面、および前記添付画面は階層的アプリケーションシーケンスを定義し、
ユーザ入力を受け取ったことに応答して、前記階層的アプリケーションシーケンスを遷移して前記第１または第２ディスプレイ部分のうちの少なくとも１つに階層的画面の進行の画面の少なくとも１つの異なる画面を表示することをさらに備え、
前記第２ユーザインターフェース画面部分が対応する前記第１ユーザインターフェース画面部分の一部をユーザに示すことをさらに含む、請求項９に記載の方法。
【請求項１１】
前記第１および第２ユーザインターフェース画面部分のうちの少なくとも１つは、メッセージ一覧表示画面であり、
前記メッセージ一覧表示画面に現れる複数のメッセージは、送信者、題名または受信日時のうちの少なくとも１つで並べ替え可能である、請求項９に記載の方法。
【請求項１２】
前記第１および第２ユーザインターフェース画面部分のうちの少なくとも１つは、メッセージ詳細画面であり、
前記方法は、
ユーザ入力を受け取ったことに応答して、前記メッセージ詳細画面のエレメントに関するアクションを開始すること、
前記開始に応答して前記メッセージ詳細画面の前記エレメントの外観を変更することをさらに備え、
前記エレメントは、添付バーであり、
前記アクションは、前記添付バーに対応する添付ファイルをダウンロードすることを含み、
前記添付バーの前記外観は、前記添付ファイルの前記ダウンロードのステータスに対応する、請求項９に記載の方法。
【請求項１３】
前記ユーザからジェスチャ入力を受け取ること、
前記ジェスチャ入力を受け取ったことに応答して、メッセージに関するアクションを行うことをさらに備える、請求項９に記載の方法。
【請求項１４】
前記ジェスチャ入力は、メッセージ一覧表示画面またはメッセージ詳細画面のうちの少なくとも１つに表示されるメッセージに関して受信される長押しジェスチャを含み、
前記アクションは、前記メッセージに関係するコンテキストメニューを表示することを含む、請求項１３に記載の方法。
【請求項１５】
前記ジェスチャ入力は、メッセージ一覧表示画面またはメッセージ詳細画面のうちの少なくとも１つに表示されるメッセージに関して受け取るスワイプジェスチャを含み、
前記アクションは、前記メッセージの現在の位置とは異なる前記電子メールクライアントの位置にメッセージを移動させることを含み、
前記移動は移動先フォルダへのメッセージの移動を含み、
前記移動先フォルダは、受け取った前記ジェスチャ入力の性質によって少なくとも部分的に判定される、請求項１４に記載の方法。